(57)【特許請求の範囲】
【請求項１】
容器の開口部に設けられる注出具であって、
該注出具には、容器の開口部をシールしているシール壁が設けられ、
該シール壁には無端状スコアと該無端状スコアの内側且つ近傍から立ち上がっている支柱と該支柱の上方部分に設けられている環状のプルリングと無端状スコアを取り囲むように形成された筒状体とが設けられ、
プルリングの内面は、上方から下方に向かって内方に傾斜して形成されているが、
前記支柱に対向する側の部分においては、その下端から上方に向かって鉛直方向を指向する面からなる肉抜き部が形成されており、該肉抜き部の上端は、プルリング内面の上端よりも下方の部分に位置し、該肉抜き部は中心側から見て上端から下方に向けて末広がり状に大きくなっており、
一方、該肉抜き部の上端よりも上方部分には、肉抜き部の鉛直面と連続的な面を段差なく備える厚肉の補強部を形成し、
プルリングの前記支柱に対向する側の略半周部分が、側面からみて、該支柱から遠ざかる方向で上方に向かって傾斜していることを特徴とする注出具。
【発明の詳細な説明】
【技術分野】
【０００１】
本発明は、容器の開口部をシールして、容器内容物を注出するための開口を形成する無端状スコアと無端状スコアを引き裂くためのプルリングを有する注出具に関する。
【背景技術】
【０００２】
調味料用の容器などには、多くの場合、容器内容物を注出するための注出機能を備えた注出具が、容器の口部に嵌合固定され、或いは紙容器の口部に接着固定されている。このような注出具では、一般に、容器の開口部を閉じるように機能するシール壁を備えており、このシール壁には、内容物取出し開口形成用の無端状のスコアが設けられており、この無端状スコアを引き裂くことにより形成された開口を通して容器内容物の取り出し（例えば内容液の注ぎ出し）が行われる。従って、シール壁の上面には、この無端状スコアで取り囲まれた領域に支柱が設けられており、この支柱の上端部にプルリングが形成されており、このプルリングを引っ張り上げることにより、無端状スコアを引き裂き、シール壁に内容物の取出し用開口を形成するような構造となっている。
【０００３】
ところで、上記のようにして形成される内容物の取出し用開口は、一般に小径であり、従って、必然的にプルリングの径も小さくなってしまい、このため、プルリングを引張り上げることが困難となってしまい、無端状スコアが引き裂き難くなっているという問題がある。注出具のシール壁に内容物取出し用開口を形成する場合には、多くの場合、その開口（無端状スコア）を取り囲むようにして、該開口から注ぎ出される内容液の案内として機能する筒状体（注出筒）が設けられているため、この筒状体内部の狭い空間内にプルリングが位置するようになってしまい、一層、プルリングの引張り上げが困難となっている。
【０００４】
特許文献１には、このような問題点を解決するために、プルリングに一対の屈曲部を設け、この屈曲部から遠ざかるに従って上方に傾斜して延びる傾斜部を形成することが提案されている。
【特許文献１】特開２００３−７２８１１号
【発明の開示】
【発明が解決しようとする課題】
【０００５】
特許文献１で提案されているプルリングは、上方に傾斜して延びている傾斜部が形成されているため、これを引張り上げ易く、プルリングが小径であっても無端状スコアの引き裂きを容易に行うことができるというものである。
【０００６】
しかしながら、このようなプルリングは熱可塑性プラスチックで形成されているため、上記のような傾斜部を形成したとしても、成形直後ではかなりの高温になっているため、自重により傾斜部が下方に垂れ下がってしまうことがある。また、成形直後には傾斜部が形成されていたとしても、経時と共に、傾斜部が下方に垂れ下がってしまうこともある。このように、傾斜部が垂れ下がってしまうと、プルリングの引張り上げが困難となり、やはり、無端状スコアの引き裂きが困難となってしまう虞があるため、未だ、改善の余地が残されている。特に、プルリングの高さが制限されており、背の低い支柱にプルリングが形成されているような場合には、プルリングが垂れ下がってしまうと、プルリングとシール壁の表面との間に隙間がほとんどなくなってしまい、一層、プルリングの引張り上げが難しくなる。
【０００７】
従って、本発明の目的は、プルリングが自重により下方に垂れ下がってしまうような変形が生じた場合にも、プルリングの引張り上げによる無端状スコアの引き裂きを容易に行うことが可能なプルリングを有する注出具を提供することにある。
【課題を解決するための手段】
【０００８】
本発明によれば、容器の開口部に設けられる注出具であって、
該注出具には、容器の開口部をシールしているシール壁が設けられ、
該シール壁には無端状スコアと該無端状スコアの内側且つ近傍から立ち上がっている支柱と該支柱の上方部分に設けられている環状のプルリングと無端状スコアを取り囲むように形成された筒状体とが設けられ、
プルリングの内面は、上方から下方に向かって内方に傾斜して形成されているが、
前記支柱に対向する側の部分においては、その下端から上方に向かって鉛直方向を指向する面からなる肉抜き部が形成されており、該肉抜き部の上端は、プルリング内面の上端よりも下方の部分に位置し、該肉抜き部は中心側から見て上端から下方に向けて末広がり状に大きくなっており、
一方、該肉抜き部の上端よりも上方部分には、肉抜き部の鉛直面と連続的な面を段差なく備える厚肉の補強部を形成し、
プルリングの前記支柱に対向する側の略半周部分が、側面からみて、該支柱から遠ざかる方向で上方に向かって傾斜していることを特徴とする注出具が提供される。
【発明の効果】
【０００９】
本発明の注出具では、プルリングの支柱と対向する側の部分の内面に肉抜き部が形成されているため、この肉抜き部に指を容易に引っ掛けることができ、従って、このプルリングを引張り上げての無端状スコアの引き裂きを、プルリングが垂れ下がってしまうような変形が生じた場合にも容易に行うことができる。
【００１０】
また、本発明においては、前記肉抜き部の上端は、プルリング内面の上端よりも下方の部分に位置していることが重要である。即ち、肉抜き部がプルリングの上端にまで延びていると、プルリングを引張り上げるときに応力が集中する部分が全体的に薄肉となってしまうため、プルリングが破断するなどの不都合を生じることがある。しかるに、肉抜き部の上端をプルリング内面の上端よりも下方の部分に位置せしめることにより、肉抜き部の上方部分の肉厚が厚くなり、この部分の強度を高めることができるため、上記のような不都合を有効に防止することができる。
【００１１】
さらに、このプルリングの前記支柱に対向する側の略半周部分は、側面からみて、該支柱から遠ざかる方向で上方に向かって傾斜していることが重要である。プルリングにこのような傾斜部を設けることにより、特許文献１のプルリングと同様、プルリングに指を引っ掛けやすくなり、プルリングの引張り上げによる無端状スコアの引き裂きを一層容易に行うことができる。
【００１２】
さらには、前記肉抜き部は、少なくともその下方部分の表面が鉛直方向を指向する面となるように肉抜きされた面となっていることが重要である。このような面が形成されるように肉抜きすることにより、注出具の成形時の型抜きを容易にすることができる。即ち、このようにプルリングの内側にアンダーカットを形成しないことにより、成形後の型抜きを行う際、まずプルリングの内側の型を抜くと、容易に外側の型を抜くことができるからである。
【発明を実施するための最良の形態】
【００１３】
本発明を、以下、添付図面に示す具体例に基づいて詳細に説明する。
図１は、無端状スコアを引き裂いた状態での本発明のプルリングを示す斜視図であり、
図２は、図１のプルリングを備えたキャップの側断面図であり、
図３は、図２のキャップに設けられているプルリングの要部を拡大して示す側断面図であり、
図４は、図２のキャップのプルリングを引張り上げての無端状スコアの引き裂きを行う状態を示す図であり、
【００１４】
図１の斜視図を参照して、全体として１で示す本発明のプルリングは、支柱３の上方部分に連結されて設けられており、この支柱３は、容器の開口部をシールしているシール壁５から立ち上がっているものである。
【００１５】
尚、図１は、プルリング１を引張り上げてシール壁５に形成されている無端状スコアを引き裂いた状態を示すものである。従って、図１に示されているシール壁５の周縁５ａが、無端状スコアが形成されていた部分であり、このシール壁５が存在していた部分に、内容物取出し用の開口が形成されたこととなる。
【００１６】
また、図１から理解されるように、支柱３は、無端状スコアで囲まれた領域内で且つ無端状スコアの近傍に設けられ、プルリング１を引張り上げることにより、支柱３の近傍部分から無端状スコアが引き裂かれていくこととなる。
【００１７】
プルリング１の引張り上げは、支柱３に対向する部分に指を引っ掛けて行われるが、本発明のプルリング１では、指が引っ掛けられる部分の内面に、肉抜き部７が設けられている。即ち、この肉抜き部７は、プルリング１の内面の下端から上方に延びており、このような肉抜き部７の形成により、指を挿入し易く且つ下端に指を引っ掛け易くなっている。例えば、プルリング１の支柱５と反対側の部分が自重などにより垂れ下がってしまったような場合にも、この肉抜き部７に容易に指を引っ掛けることができ、プルリング１の引張り上げによる無端状スコアの引き裂きを容易に行うことが可能となる。
【００１８】
本発明において、プルリング１に形成されている上記肉抜き部７の形状は、特に制限されるものではないが、指が引っ掛けられる下端部の周方向幅を大きくして指が掛かり易くし、図１に示されているように、上方にいくにしたがって小幅となるような形状とすることが好適である。即ち、肉抜き部７が形成されている部分は薄肉となり、強度が小さいため、上記のような形状とすることにより、強度低下を最小限としつつ、指を引っ掛けや易くすることができるからである。
【００１９】
また、肉抜き部７は、プルリング１の内面の下端から上端まで延びていてもよいが、通常は、図１に示されているように、肉抜き部７の上端７ａをプルリング１の上端よりも下方に位置せしめることが好適である。即ち、肉抜き部７がプルリング１の上端まで延びていると、この壁部全体が低強度となってしまうため、プルリング１を引張り上げた時に破断を生じ易くなってしまうが、肉抜き部７の上端７ａをプルリング１の上端よりも下方に位置せしめることにより、上端７ａよりも上方部分が厚肉となり、プルリング１の破断を効果的に防止することができるからである。
【００２０】
上記のように、肉抜き部７の上端７ａをプルリング１の上端よりも下方に位置せしめたときには、この上端７ａよりも上方部分に、厚肉の補強部９を形成することが好適である。このような補強部９を形成することにより、プルリング１の引張り上げに際しての破断を一層確実に防止することができる。
【００２１】
さらに、本発明においては、肉抜き部７と支柱３とが両端になるように、プルリング１を側面から見たとき、このプルリング１のほぼ中央部分に屈曲部Ｘを設け、この屈曲部Ｘよりも肉抜き部７側に位置する領域１ａを、支柱３から遠ざかる方向に向かって上方を指向するような傾斜部とすることが重要である。このような形状とすることにより、肉抜き部７の下端（プルリング１の下端）とシール壁５との間に大きな隙間が形成されるため、指を一層引っ掛け易くなる。
【００２２】
また、上記のような傾斜領域１ａを形成する場合、屈曲部Ｘよりも支柱３側に位置する領域１ｂは、水平方向或いは支柱側から屈曲部Ｘに向かってやや下方を指向するような形状とするのがよい。この領域１ｂを領域１ａと同様に上方を指向するような傾斜部とすると、プルリング１の支柱３とは反対側の上端（肉抜き部７が形成されている部分の上端）が必要以上に高い位置に存在するようになってしまい、このプルリング１を形成するために、大きな空間が必要となってしまい、例えば後述するキャップでは、キャップハイトを大きくしなければならないなどの問題を生じてしまうからである。
【００２３】
さらには、図１に示されているように、プルリング１の領域１ａの内面には、周方向に延びているリブ１０を、適当な間隔で複数本設けることが好ましい（図１では３本のリブ１０が形成されている）。このリブ１０は、プルリング１の強度を補強すると同時に、プルリング１を引っ張り上げるときの滑り止めとして機能するものである。
【００２４】
本発明の注出具は、上記のようなプルリング１がシール壁に設けられているボトル用のキャップや紙容器用の注出具に適用される。例えばキャップや注出具などに形成されているシール壁に設けて適用される。図２〜７は、上述した本発明の注出具であるキャップを示すものである。
【００２５】
例えば図２〜図４は、図１に示すプルリング１が設けられたキャップの構造を示すものであり、図２は側断面図、図３は要部拡大側断面図、図４は、プルリングを引張り上げての無端状スコアの引き裂きを行う状態を示す図である。
【００２６】
図２において、全体として１１で示すキャップは、キャップ本体１３と、キャップ本体１３にヒンジ連結された上蓋１５とから構成されている。
【００２７】
キャップ本体１３は、頂板部１７と、頂板部１７の周縁部から降下した筒状側壁１９とを有しており、容器の口部（図示せず）に被せられて固定されるものである。
【００２８】
キャップ本体１３の頂板部１７は、容器口部をシールするシール壁（図１のシール壁５に対応）として機能するものであり、その中央部分には、無端状スコア２０が形成されており、この無端状スコア２０で囲まれる領域であって且つ無端状スコア２０の近傍に、前述した図１に示されている支柱３が設けられ、この支柱３の上方部分にプルリング１が設けられている。
【００２９】
また、頂板部１７の上面には、無端状スコア２０の外側部分に、無端状スコア２０を取り囲むようにして筒状体である注出筒２１が設けられており、さらに、その外側に、背の低い環状突起２３が設けられている。
【００３０】
注出筒２１は、プルリング１を引っ張って無端状スコア２０を引き裂き、これにより形成された開口を通して容器内容液を注ぎ出す際の案内となるものであり、その上端は、外方に屈曲しており、スムーズに内容液の注ぎ出しが行われるようになっている。また、上蓋１５を閉じるとき、この注出筒２１が邪魔にならないように、注出筒２１のヒンジ連結部側の部分は背が低くなっている。
【００３１】
環状突起２３は、上蓋１５を閉じたとき、上蓋１５をしっかりと保持するためのものであり、その上端の外方部分は、上蓋１５の内面と係合し得るように、膨出した形状となっている。
【００３２】
また、シール壁となる頂板部１７の下面には、筒状側壁１９と間隔をおいて下方に延びているインナーリング２５が設けられている。このインナーリング２５と筒状側壁１９との間の空間に容器口部（図示せず）が嵌め込まれ、これにより、キャップ本体１３は、容器口部に固定されるものである。図２から理解されるように、このインナーリング２５の外面は若干に膨出しており、この膨出した部分が容器の口部の内面に密着し、良好なシール性が確保される。
【００３３】
筒状側壁１９の内面の下方部分には係止突起２７が形成されており、筒状側壁１９とインナーリング２５との間に嵌め込まれた容器口部ががっちりと固定されるようになっている。また、この係止突起２７には、適宜の間隔で切欠き２７ａが形成されており、容器口部の嵌め込み（打栓）が阻害されないようになっている。
【００３４】
さらに、図２に示されているように、筒状側壁１９には、上端から下方に延びているスリット２９が形成されており、係止突起２７が形成されている部分よりも上方の部分は、内側壁１９ａと外側壁１９ｂとの２重構造となっている。このような二重壁構造により、容器口部の嵌め込み（打栓）が容易に行われるばかりか、外側壁１９ｂを引き剥がすことにより、キャップ本体１３を容易に容器口部から取り外すことが可能となり、分別廃棄性が高められている。また、このような二重壁構造では、キャップ本体１３が容器口部に固定されたとき、係止突起２７を有する内側壁１９ａは、外側壁１９ｂによりタガ締めされるため、より良好なシール性を確保することができる。
【００３５】
上蓋１５は、ヒンジバンド３０により、筒状側壁１９（外側壁１９ｂ）の上端部分にヒンジ連結されており、旋回により開閉可能となっている。図２では、上蓋１５が開放状態で示されている。
【００３６】
かかる上蓋１５は、天板３１とスカート壁３３とからなっており、スカート壁３３の下端にヒンジバンド３０が連結され、旋回可能にキャップ本体１に保持されている。
【００３７】
天板３１の内面には、シールリング３５が形成されており、上蓋１５を閉じたとき、このシールリング３５が注出筒２１の内面に密着し、無端状スコア２０が引き裂かれ、内容物取り出し用の開口が形成された後のシール性が確保されるようになっている。また、注出筒２１の上蓋１５側の背が低くなっているのは、上蓋１５を閉じるとき、このシールリング３５が注出筒２１の上端部に当たらないようにするためである。
【００３８】
上蓋１５のスカート壁３３の下端には、ヒンジバンド３０と反対側となる部分に開封用の鍔３７が形成され、この鍔３７を持って上蓋１５の開閉が容易に行われるようになっている。さらに、スカート壁３３の内面の下端部分には、凹部３９が形成されており、上蓋１５を閉じたとき、この凹部３９がキャップ本体１３の環状突起２３の上端部分と係合し、上蓋１５の閉栓状態がしっかりと保持されるようになっている。
【００３９】
前述した図１のプルリング１が形成されているキャップ１１では、図３の要部拡大図に示されているように、プルリング１を引張り上げる部分（支柱３と対向する側）に肉抜き部７が形成されており、従って、図４に示されているように、プルリング１の内部に指を挿入したとき、この肉抜き部７に指を引っ掛け易く、この部分でプルリング１を引張り上げることにより、容易に無端状スコア２０を引き裂いて内容物取出し用の開口を形成することができる。例えば、このようにしてプルリング１を引張り上げる部分が自重等により垂れ下がってしまった場合にも、肉抜き部７の形成により、指がプルリング１の内面と係止し易くなるため、
プルリング１に容易に指を引っ掛けることができ、プルリング１の引張り上げによる無端状スコア２０の引き裂き作業を至って容易に行うことができる。
【００４０】
さらに、図１に明瞭に示されているように、肉抜き部７の肉抜き量は、その上端から下方に向けて末広がり状に大きくなっていることが好ましい。即ち、このような下方に向けての末広がり状の厚み勾配をつけることにより、プルリング１の内面下部に指を一層引っ掛けやすくなり、また、プルリング１の強度低下を回避することができる。
【００４１】
また、図３の部分拡大図に明瞭に示されているように、該肉抜き部７の周方向中央部が鉛直方向を指向する面７ｂとなっている。即ち、このような肉抜き部７の形成により、アンダーカット部が形成されず、成形時のプルリングの内側の型を抜く時に容易に抜くことができ、成形を容易に行うことが可能となるのである。
【００４２】
また、上記のようなプルリング１では、屈曲点Ｘから支柱３とは反対側の領域１ａが上方に傾斜しているため、肉抜き部７の下端と頂板部（シール壁）１７の上面との間により大きな隙間が形成されるため、プルリング１の下端への指の引っ掛けは極めて容易に行われることが理解されよう。
【００４３】
このように、本発明のプルリング１は、注出筒２１等の筒状体の狭い空間内に形成されているような場合或いはプルリング１とシール壁との間に十分な空間が存在しないような場合であっても、この引っ張り上げによる無端状スコア２０の引き裂きを容易に行うことができる。
【００４４】
尚、上述した例では、上蓋１５がキャップ本体１にヒンジ連結された構造のキャップを例にとって本発明のプルリング１の機能を説明したが、本発明のプルリング１は、このような構造のキャップに限定されるものではなく、例えば、上蓋１５がネジ締結によりキャップ本体１に装着される所謂ネジキャップにも本発明のプルリング１を適用できることは言うまでも無い。また、キャップに限らず、無端状スコアを引き裂いて開口を形成して容器の内容物を取り出すような部材であれば、例えば紙容器等の開口部に無端状スコアを有する基材シート（シール壁に相当）を接着固定して使用されるような注出具などにも本発明のプルリング１を適用することができる。
【図面の簡単な説明】
【００４５】
【図１】無端状スコアを引き裂いた状態での本発明のプルリングを示す斜視図。
【図２】図１のプルリングを備えたキャップの側断面図。
【図３】図２のキャップに設けられているプルリングの要部を拡大して示す側断面図。
【図４】図２のキャップのプルリングを引張り上げての無端状スコアの引き裂きを行う状態を示す図。
【符号の説明】
【００４６】
１：プルリング
３：支柱
５：シール壁
５ａ：シール壁周縁部
７：肉抜き部
９：補強部
１０：リブ
【図１】
0005160261.tif 000002
【図２】
0005160261.tif 000003
【図３】
0005160261.tif 000004
【図４】
0005160261.tif 000005